(57)【要約】【課題】  自然な毛量調整が可能でヘアスタイルに変化を付けることが可能なかつら縁部用部材及びかつらを提供する。【解決手段】  端辺１０Ａ、１０２Ａが離間して配置された２つの面部１０、１２と、２つの面部１０、１２の間をジグザグに進む波形状で互いに交差して配置された２つの紐状部材２０、２２とから構成され、２つの紐状部材２０、２２の波形状の頂点部分が互いに反対側を向くように配置され、紐状部材２０、２２の波形の頂点部分と面部１０、１２とが固定されることにより、２つの面部１０、１２が繋がって一体化された母材において、２つの面部１０、１２が端辺１０Ａ、１２Ａの位置が略一致して接するように二つ折りにされて前記紐状部材がループを形成して、かつ２つの面部１０、１２が端辺１０Ａ、１２Ａに沿った方向にずれた状態で互いに固定され、面部１０、１２及び紐状部材２０、２２に擬毛を植設することが可能なかつら縁部用部材２、及びかつら縁部用部材２を備えたかつらを提供する。【選択図】図５
2020084356.tif 000002
【特許請求の範囲】
【請求項１】
端辺が離間して配置された２つの面部と、２つの前記面部の間をジグザグに進む波形状で互いに交差して配置された２つの紐状部材とから構成され、
２つの前記紐状部材の波形状の頂点部分が互いに反対側を向くように配置され、
前記紐状部材の波形の頂点部分と前記面部とが固定されることにより、２つの前記面部が繋がって一体化された母材において、
２つの前記面部が前記端辺の位置が略一致して接するように二つ折りにされて前記紐状部材がループを形成して、かつ２つの前記面部が前記端辺に沿った方向にずれた状態で互いに固定され、前記面部及び前記紐状部材に擬毛を植設することが可能なことを特徴とするかつら縁部用部材。
【請求項２】
２つの前記面部がずれる量が、前記端辺に沿った方向において、１つの波形の一方の側の頂点部分から他方の側の隣接する頂点部分の間の距離以内であることを特徴とする請求項１に記載のかつら縁部用部材。
【請求項３】
互いに接するように固定された２つの前記面部において、前記端辺と対向する端辺方向に、一方の前記面部が他方の面部より長く延びていることを特徴とする請求項１または２に記載のかつら縁部用部材。
【請求項４】
二つ折りにされた前記紐状部材で形成されたループにおいて、一方の前記面部側に曲げられた前記ループと、他方の前記面部側に曲げられた前記ループがあることを特徴とする請求項１から３の何れか1項に記載のかつら縁部用部材。
【請求項５】
縁部に請求項１から４の何れか１項に記載のかつら縁部用部材が取り付けられたかつらベースと、
前記かつら縁部用部材及び前記かつらベースに植設された擬毛と、
を備えたことを特徴とするかつら。
【発明の詳細な説明】
【技術分野】
【０００１】
本発明は、かつらベースの縁部に取り付けられるかつら縁部用部材、及びこのかつら縁部用部材を備えたかつらに関する。
【背景技術】
【０００２】
かつらでは、縁部において自毛となじんだ自然な外観を呈することが重要であり、かつら縁部には色々の工夫が施されている。特にかつら本体縁部に他部材を取り付けることで自然な外観を得る方法として、例えば、かつらベースの外縁部に自毛が収容される捕捉部と、外縁部の外側に突出したループ状の抑え部を備えたかつらが提案されている(特許文献１参照）。
【先行技術文献】
【特許文献】
【０００３】
【特許文献１】特開２０１４−９４０６号
【発明の概要】
【発明が解決しようとする課題】
【０００４】
特許文献１に記載のかつらでは、ループ状の抑え部に擬毛を植設することができ、かつ捕捉部に収容された自毛となじませて、自然な外観を得ることができる。しかし、特許文献１に記載のかつらでは、かつらベースの境界部分の露見を効果的に防止すること、かつらのずれを軽減して自然な外観を長時間維持すること目的としているので、多様なスタイルの対応を想定していない。例えば、ループ状の抑え部が間隔をおいて外縁部の外側に突出しているだけなので、かつら縁部への所望の毛量を調整することが難しい。更に、ループ状の抑えが配置されていることで、なじませた自毛が押さえつけられてしまい、自毛を立ち上げるヘアスタイルなどが作りづらく、ヘアスタイルに変化を付けることも困難である。
【０００５】
本発明は、上記問題に鑑みてなされたものであり、自然な毛量調整が可能でヘアスタイルに変化を付けることが可能なかつら縁部用部材及びかつらを提供することを目的とする。
【０００６】
上記課題を解決するために、本発明の一態様に係るかつら縁部用部材は、
端辺が離間して配置された２つの面部と、２つの前記面部の間をジグザグに進む波形状で互いに交差して配置された２つの紐状部材とから構成され、
２つの前記紐状部材の波形状の頂点部分が互いに反対側を向くように配置され、
前記紐状部材の波形の頂点部分と前記面部とが固定されることにより、２つの前記面部が繋がって一体化された母材において、
２つの前記面部が前記端辺の位置が略一致して接するように二つ折りにされて前記紐状部材がループを形成して、かつ２つの前記面部が前記端辺に沿った方向にずれた状態で互いに固定され、
前記面部及び前記紐状部材に擬毛を植設することが可能になっている。
【０００７】
本発明の一態様に係るかつらは、
縁部に上記のかつら縁部用部材が取り付けられたかつらベースと、
前記かつら縁部用部材及び前記かつらベースに植設された擬毛と、
を備えている。
【発明の効果】
【０００８】
以上のように、本発明では、自然な毛量調整が可能でヘアスタイルに変化を付けることが可能なかつら縁部用部材及びかつらを提供することができる。
【図面の簡単な説明】
【０００９】
【図１Ａ】本発明に係るかつら縁部用部材の母材の一例を模式的に示す平面図である。
【図１Ｂ】本発明に係るかつら縁部用部材の紐状部材の交差状態を模式的に示す平面図である。
【図２】図１に示す母材において、面部を端辺方向にずらした場合を模式的に示す平面図である。
【図３】図１及び図２に示す母材を２つ折りにして形成したかつら縁部用部材を模式的に示す図である。
【図４】本発明の１つの実施形態に係るかつら縁部用部材の母材を模式的に示す平面図である。
【図５】図４に示す母材を２つ折りにして形成した本発明の１つの実施形態に係るかつら縁部用部材を模式的に示す平面図である。
【図６】２つの面部が端辺に沿った方向にずれていないかつら縁部用部材の一例を模式的に示す平面図である。
【図７】面部の幅が異なるかつら縁部用部材がかつらベースに取り付けられた場合の例を模式的に示す断面図である。
【図８】面部の幅が同一なかつら縁部用部材がかつらベースに取り付けられた場合の例を模式的に示す断面図である。
【図９】紐状部材で形成されたループを異なる方向に折り曲げた場合を模式的に示す図である。
【図１０】外縁部にかつら縁部用部材が取り付けられたかつらの一例を示す模式図である。
【図１１】本発明に係る母材の１つの実施例を示す図（写真）である。
【図１２】本発明に係るかつら縁部用部材の１つの実施例を示す図（写真）である。
【発明を実施するための形態】
【００１０】
以下、図面を参照しながら、本発明を実施するための実施形態や実施例を説明する。なお、以下に説明する実施形態や実施例は、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１１】
（かつら縁部用部材の概要）
はじめに図１A、図１B及び図３に示す例を用いて、本発明に係るかつら縁部用部材の概要を説明する。図1Ａは、本発明に係るかつら縁部用部材の母材の一例を模式的に示す平面図である。図１Bは、本発明に係るかつら縁部用部材の紐状部材の交差状態を模式的に示す平面図である。図２は、図１に示す母材において、面部を端辺方向にずらした場合を模式的に示す平面図である。図３は、図１及び図２に示す母材を２つ折りにして形成したかつら縁部用部材を模式的に示す図である。
【００１２】
図１Ａに示すように、母材４は、端辺１０Ａ、１２Ａが離間して配置された２つの面部１０、１２と、２つの面部１０、１２の間をジグザグに進む波形状に配置された２つの紐状部材２０、２２とから構成される。図１Ａに示す例では、面部１０の端辺１０Ａ及び面部１２の端辺１２Ａが略平行に配置されている。別の表現をすれば、２つの面部１０、１２が、ほぼ等間隔で離れて配置されている。ただし、これに限られるものではなく、２つの面部１０、１２の距離が多少変化する場合もあり得る。
【００１３】
また、２つの紐状部材２０、２２の波形状の頂点部分が互いに反対側を向くように配置されている。別の表現をすれば、２つの紐状部材２０、２２の波形状の位相が略１８０度ずれている。更に、図１Ｂの紐状部材の交差部２３、２４に示すように、紐状部材２０、２２が互いに交差する状態で配置されている。また、図１Ｂに示すように、紐状部材の交差領域において、紐状部材２０、２２が交互に上側にくるようになっている。なお、２つの紐状部材２０、２２を区別するため、ここでは、紐状部材２２を点線で示している。
【００１４】
波形状については、図１に示すような直線上の紐状部材が頂点で折れ曲がった態様もあり得るし、後述するように紐状部材が曲線上に湾曲した場合もあり得る。紐状部材２０、２２は、繋がった一本の紐の場合だけでなく、２つの面部１０、１２の間を繋ぐ個々の紐が波形状の頂点部分で繋げられた場合もあり得る。
個々の紐状部材２０、２２において、波形の頂点部分（例えば、Ｐ１〜ＰＮ、ｐ１〜ｐｎ参照）と面部１０、１２とが固定されることにより、２つの面部１０、１２が繋がって一体化された母材４が形成される。
【００１５】
面部１０、１２として、織物や、メッシュ状のシートを例示することができる。面部１０、１２の材料として、樹脂材料を用いることも、天然材料を用いることもできる。紐状部材２０、２２として、モノフィラメント糸、マルチフィラメント糸を例示することができる。紐状部材２０、２２の材料として、樹脂材料を用いることも、天然材料を用いることもできる。なお、面部１０、１２及び紐状部材２０、２２には、擬毛を植設することができる。
面部１０、１２及び紐状部材２０、２２は、例えば縫着で固定することができるが、これに限られるものではなく、編成、接着、溶着をはじめとするその他の任意の固定方法を採用できる。
【００１６】
このような母材４において、図２に示すように、２つの面部１０、１２が、端辺１０Ａ、１２Ａに沿った方向にずらした状態に配置される（図２の白抜き矢印参照）。別の表現をすれば、２つの面部１０、１２が、細長い面部１０、１２の長手方向に沿ってずれた状態に配置される。また、図２に示す場合には、２つの面部１０、１２が、端辺１０Ａ、１２Ａに平行な方向にずれた状態に配置されていると言える。そして、図３に示すように、２つの面部１０、１２が端辺１０Ａ、１２Ａの位置が略一致して接するように二つ折りにされて互いに固定される。
【００１７】
面部１２が面部１０に対して、端辺１０Ａ、１０Ｂに沿った方向において左側にずれた場合、例えば、図３の紐状部材２０のＡで示す繋ぎ部分は、両側の頂点部分Ｐ１及びＰ２の間の距離が短くなるので、よりたるんだ状態になる。一方、次の紐状部材２０のＢで示す繋ぎ部分は、両側の頂点部分Ｐ２及びＰ３の間の距離が長くなるので、より引っ張られた状態になる。
紐状部材２０のその他の繋ぎ部分においても、隣接する繋ぎ部分において、両側の頂点部分間距離が短い／長いというサイクルを交互に繰り返すことになる。同様に、紐状部材２２でも、隣接する繋ぎ部分において、両側の頂点部分間距離が短い／長いというサイクルを交互に繰り返すことになる。
【００１８】
このとき、２つの紐状部材２０、２２の波形状の頂点部分が互いに反対側を向くように配置されているので、端辺１０Ａ、１０Ｂに沿った方向の同じ位置において、紐状部材２０及び紐状部材２２の繋ぎ部分における両側の頂点部分間距離の短い／長いが逆転するようになる。
つまり、端辺１０Ａ、１０Ｂに沿った方向の同じ位置において、紐状部材２０の繋ぎ部分における両側の頂点部分間距離が短い場合には、紐状部材２２の繋ぎ部分における両側の頂点部分間距離が長くなる。一方、紐状部材２０の繋ぎ部分における両側の頂点部分間距離が長い場合には、紐状部材２２の繋ぎ部分における両側の頂点部分間距離が短くなる。
【００１９】
このとき、紐状部材２０、２２が交差する領域において、両側の頂点部分間距離が短くなる紐状部材が、両側の頂点部分間距離が長くなる紐状部材より上側にくるように配置される。別の表現をすれば、交差する領域で、上側にある紐状部材の両側の頂点部分間距離が短くなり、下側にある紐状部材の両側の頂点部分間距離が長くなるように、２つの面部１０、１２を、端辺１０Ａ、１２Ａに沿ってずらす。
【００２０】
図２に示すように２つの面部１０、１２が端辺１０Ａ、１２Ａに沿った方向にずれた状態において、端辺１０Ａ、１２Ａの位置が略一致して接するように二つ折りにされて互いに固定され（図３の白抜き矢印参照）、これにより、かつら縁部用部材２が形成される。例えば、２つの面部１０、１２は、縫着で固定することができる。ただし、これに限られるものではなく、接着、溶着をはじめとするその他の任意の固定方法を採用できる。
なお、二つ折りにする場合、端辺１０Ａ及び端辺１２Ａの中間位置を結んだ仮想線（図２のＦ参照）で折り返すようになるが、紐状部材２０、２２を仮想線位置で強く折り曲げることはせずに、図３に示すように、紐状部材２０、２２は曲線状のループが形成される程度にする。
【００２１】
この場合、２つの面部１０、１２が端辺１０Ａ、１２Ａに平行な方向にずれた状態で固定されるので、紐状部材２０、２２が完全に重なり合うことがなく、紐状部材が完全に重なり合う場合に比べて、かつら縁部用部材２の厚みを大幅に薄くすることができる。
【００２２】
更に、両側の頂点部分間距離（Ｐ１−Ｐ２）が短い紐状部材２０のＡで示す繋ぎ部分は、高く持ちあがったループＡとなり、両側の頂点部分間距離（Ｐ２−Ｐ３）が長い紐状部材２０のＢで示す繋ぎ部分は、低く延びたループＢとなる。紐状部材２０のその他の領域においても、高く持ちあがったループ及び低く延びたループを順に繰り返す。同様に、紐状部材２２においても、高く持ちあがったループ及び低く延びたループを順に繰り返す。
【００２３】
このとき、端辺１０Ａ、１２Ａに沿った方向の同じ位置において、紐状部材２０及び紐状部材２２のループの高さの高低は逆転するようになる。
つまり、紐状部材２０のループが高く持ちあがる場合には、紐状部材２２のループは低く延びている。一方、紐状部材２０のループが低く延びている場合には、紐状部材２２のループが高く持ちあがる状態になる。
【００２４】
これは、個々の紐状部材２０、２２が、波形の頂点部分（例えば、Ｐ１〜ＰＮ、ｐ１〜ｐｎ参照）と面部１０、１２とが固定されていること、紐状部材２０、２２が互いに交差する状態で配置されること、及び紐状部材が交差する領域で、２つの紐状部材２０、２２のうち、高く持ちあがるループを形成する紐状部材が、低く延びているループを形成する紐状部材よりも上側に位置することに起因している。
【００２５】
２つの面部１０、１２がずれる量Ｓについて更に詳細に述べれば、端辺１０Ａ、１２Ａに沿った方向において、１つの波形の一方の側の頂点部分（例えばＰ１）が他方の側の隣接する頂点部分（例えばＰ２）の位置に一致するまで、２つの面部１０、１２をずらした場合、２つの頂点部分（例えばＰ１、Ｐ２）の間の距離が最短なる。よって、この場合、高く持ちあがったループ及び低く延びたループの高低差が最も大きくつく。
【００２６】
以上のように、２つの面部１０、１２がずれる量が、端辺１０Ａ、１２Ａに沿った方向において、１つの波形の一方の側の頂点部分（例えばＰ１）から他方の側の隣接する頂点部分（例えばＰ２）の間の距離以内の範囲で変化させれば、高く持ちあがったループ及び低く延びたループについて、用途に応じて所望の高低差を付けることができる。
【００２７】
ただし、２つの面部１０、１２がずれる量が、端辺１０Ａ、１２Ａに沿った方向において、常に、１つの波形の一方の側の頂点から他方の側の隣接する頂点の間の距離以内に限られるものではなく、端辺１０Ａ、１２Ａに沿った方向において、一方の側の頂点が他方の側の隣接する頂点を越えるまで、２つの面部１０、１２をずらすこともあり得る。
【００２８】
また、端辺１０Ａ、１２Ａに沿った方向については、図１から図３に示す例では、端辺１０Ａ、１２Ａが直線状に延びているが、これに限られるものではない。例えば、後述する図１０に示す例のように、かつら縁部用部材がかつらベースの外縁部の形状に沿って湾曲した形状を有する場合もあり得る。この場合には、２つの面部の端辺は、直線ではなくかつらベースの外縁部の形状に沿って湾曲した曲線となる。このような場合であっても、２つの面部が端辺に沿った方向にずれた状態で互いに固定されることにより、高く持ちあがったループ及び低く延びたループを形成することができる。なお、面部の端辺を、面部の外形線と称することもできる。
【００２９】
（１つの実施形態に係るかつら縁部用部材）
次に、図１から図３に示すようにして形成した本発明の１つの実施形態に係るかつら縁部用部材について、図４及び図５を参照しながら説明する。図４は、本発明の１つの実施形態に係るかつら縁部用部材の母材を模式的に示す平面図である。図５は、図４に示す母材を２つ折りにして形成した本発明の１つの実施形態に係るかつら縁部用部材を模式的に示す平面図である。
【００３０】
図４に示す面部１０、１２は、それぞれメッシュ状のシートで構成されており、擬毛を容易に植設できるようになっている。面部１０、１２の端部において、メッシュに応じた多少の凹凸があるが、端辺１０Ａ、１２Ａは認識可能であり、２つの面部１０、１２が端辺１０Ａ、１２Ａに沿った方向にずれた状態で固定されていることは明らかである。例えば、メッシュの最外点を結んだ仮想線（図４の二点鎖線参照）が延びた方向を端辺１０Ａ、１２Ａに沿った方向とすることができる。
【００３１】
紐状部材２０、２２は、２つの面部１０、１２の間をジグザグに進む曲線で構成された波形状を有するように配置されている。そして、紐状部材２０、２２の波形の頂点部分と面部１０、１２のメッシュのフィラメントとが、縫着で固定されている。
本実施形態に係る母材及びかつら縁部用部材のその他の構成は、図１から図３を用いて説明した母材及びかつら縁部用部材の構成とほぼ同様なので、更なる詳細な説明は省略する。
【００３２】
以上のように、本実施形態に係るかつら縁部用部材２は、端辺１０Ａ、１２Ａが離間して配置された２つの面部１０、１２と、２つの面部１０、１２の間をジグザグに進む波形状に配置された２つの紐状部材２０、２２とから構成され、２つの紐状部材２０、２２の波形状の頂点部分が互いに反対側を向くように配置され、紐状部材２０、２２の波形の頂点部分と面部１０、１２とが固定されることにより、２つの面部１０、１２が繋がって一体化された母材４において、２つの面部１０、１２が端辺１０Ａ、１２Ａの位置が略一致して接するように二つ折りにされ、かつ２つの面部１０、１２が端辺１０Ａ、１２Ａに沿った方向にずれた状態で互いに固定されて形成されている。そして、面部１０、１２及び紐状部材２０、２２に擬毛を植設することが可能になっている。
【００３３】
本実施形態に係るかつら縁部用部材２では、波形状に配置された紐状部材２０、２２によりループが形成されるので、例えば、波形の谷部分に自毛が入り込んで、馴染みが良くなるといった利点を有する。
【００３４】
ここで、図６を参照しながら、２つの面部１１０、１１２が端辺に沿った方向にずれていない場合の説明を行う。図６は、２つの面部が端辺に沿った方向にずれていないかつら縁部用部材の一例を模式的に示す平面図である。
図６に示すかつら縁部用部材１０２では、紐状部材１２０、１２２の波形状の頂点部分、つまりループの根元部分（図９の矢印Ｑ参照）が重なり合っているため、かつら縁部用部材１０２の厚みが厚くなる。よって、かつら縁部用部材１０２の存在が露見し易く、自然な外観を得ることは困難である。
【００３５】
一方、図５に示す本実施形態に係るかつら縁部用部材２では、２つの面部１０、１２が端辺１０Ａ、１２Ａに沿った方向にずれた状態で互いに固定されているので、紐状部材２０、２２の波形状の頂点部分、つまりループの根元部分が重なりあうことがない。よって、かつら縁部用部材２の厚みを薄くすることができる。これにより、かつら縁部用部材２の存在が露見しにくく、自然な外観を有することができる。
【００３６】
更に、上記のように、２つの面部１０、１２が端辺１０Ａ、１２Ａに沿った方向にずれた状態で互いに固定されているので、紐状部材２０、２２により高く持ちあがったループ及び低く延びたループが形成される。このような高低差のある２段のループにより、１種類の周期の波長と比べて自然な外観を保ちながら、毛植えにおける毛量調整を行い易くすることができる。また、２段のループにより形成される紐状部材間の様々な空間を利用して、ヘアスタイルに様々な変化を付けることができる。
【００３７】
以上のように、本実施形態に係るかつら縁部用部材２では、自然な毛量調整が可能でヘアスタイルに変化を付けることが可能である。
【００３８】
このようなかつら縁部用部材を備えたかつらにおいても、同様な作用効果が得られる。図１０に、外縁部にかつら縁部用部材が取り付けられたかつらを示す。ここでは、湾曲した形状のかつら縁部用部材２がかつらベース３０の前縁部に取り付けられ、かつらベース３０及びかつら縁部用部材２に擬毛４０が植設されて、かつら５０が形成されている。
【００３９】
このようなかつら５０においても、自然な毛量調整が可能でヘアスタイルに変化を付けることが可能である。
【００４０】
＜幅が異なる面部＞
図４に示すように、本実施形態に係る母材４では、面部１０の端辺１０Ａ及び他方の端辺１０Ｂの間の幅寸法をＬ１とし、面部１２の端辺１２Ａ及び他方の端辺１２Ｂの間の幅寸法をＬ２とすると、Ｌ１の方がＬ２より大きくなっている。
つまり、本実施形態に係るかつら縁部用部材２では、図５に示すように、互いに接するように固定された２つの面部１０、１２において、端辺１０Ａ、１２Ａと反対の方向に、つまり対向する端辺方向に、一方の面部１０が他方の面部１２より長く延びている。この一方の面部１０が他方の面部１２より長く延びている差Ｌ１−Ｌ２として、３ｍｍから１５ｍｍの値を例示することができる。ただし、これに限られるものではない。
【００４１】
一方の面部が他方の面部より長く延びていることについて、図７及び図８を比較しながら、更に詳細に説明する。図７は、図５に対応する面部１０、１２の幅が異なるかつら縁部用部材２がかつらベース３０に取り付けられた場合の例を模式的に示す断面図である。図８は、面部１１４の幅が同一なかつら縁部用部材１０２’がかつらベース１３０に取り付けられた場合の例を模式的に示す断面図である。
【００４２】
図８に示すかつら縁部用部材１０２’では、かつらベース１３０のネット状シート１枚の状態から、外縁近傍で、急に、かつらベース１３０のネット状シート及び重ね合わされた面部１１４による３枚のシートを有する状態に変化する。よって、かつら縁部用部材１０２’が取り付けられたかつらベース１３０において、厚みが、外縁近傍で急に厚く変化し、これに応じて、固さが、外縁近傍で急に硬くなる。
よって、外縁近傍での急な厚み変化、更にかつらベースの自重による丸まりや反りが起こり易くなって自然な外観が得られにくくなる。また、外縁近傍で急にかつらベース１３０が硬くなるので、使用者が違和感を有する虞がある。
【００４３】
一方、図７に示す本実施形態に対応するかつら縁部用部材２が取り付けられたかつらベース３０では、かつらベース３０の内側から外側に向けて、かつらベース３０のネット状シート１枚の状態から、かつらベース及び面部１０の２枚状態を経て、かつらベース３０、面部１０及び面部１２の３枚状態に徐々に変化させることができる。
これにより、かつらベース３０の内側から外側に向けて、厚みを、薄い、少し厚い、厚いというように、３段階で徐々に厚くすることができる。同様に、かつらベース３０の内側から外側に向けて、固さを、柔らかい、少し硬い、硬いというように、３段階で徐々に硬くすることができる。
【００４４】
これにより、使用者は、かつら縁部用部材２が取り付けられたかつらベース３０について厚みを感じにくくなり、内部が柔らかく、外部に進むにつれて徐々に硬度が高まることにより、快適な装着感を得ることができる。更に、かつらベース３０の外周部を硬くすることにより、かつらベース３０の外形形状を保ち易く、かつら装着時のブラッシング等によるめくれを効果的に予防することができる。
【００４５】
＜異なる方向に曲げられたループ＞
次に、図９を参照しながら、本実施形態に係るかつら縁部用部材２を用いて、ループを異なる方向に曲げる態様について説明する。図９は、紐状部材で形成されたループを異なる方向に折り曲げた場合を模式的に示す図である。
図９に示すように、二つ折りにされた紐状部材２０、２２で形成されたループにおいて、図９のＣで示すような、一方の面部１０側に曲げられたループと、図９のＤで示すような、他方の面部１２側に曲げられたループがあるように、ループを曲げることができる。
【００４６】
かつら縁部用部材２が取り付けられたかつらの装着時に、一方の面部１０が下側で、他方の面部１２が上側に配置される場合、Ｃで示す領域では、ダウンスタイルのヘアスタイルに対応することができ、Ｄで示す領域では、アップスタイルのヘアスタイルに対応することができる。特に、ブラッシングにより、紐状部材２０、２２で形成されたループを上下に上げ下げ可能なので、フロント部は立ち上げてボリュームアップスタイルにして、その他の部分は、自毛となじませたボリュームダウンスタイルにするといったことが可能になる。
【００４７】
以上のように、紐状部材２０、２２で形成されたループを異なる方向に曲げることができるので、ヘアスタイルに様々な変化を付けることができる。
【００４８】
（実施例）
次に、図１１及び図１２を参照しながら、実際に製造された母材及びかつら縁部用部材の実施例について説明を行う。図１１は、本明に係る母材の１つの実施例を示す図（写真）である。図１２は、本発明に係るかつら縁部用部材の１つの実施例を示す図（写真）である。
【００４９】
図１１には、幅の広い面部１０及び幅の狭い面部１２が、その間をジグザグに進む紐状部材２０、２２で繋げられた母材４を示す。図１２には、２つの面部１０、１２が端辺の位置が略一致して接するように二つ折りにされ、かつ２つの面部１０、１２が端辺に沿った方向にずれた状態で互いに固定されて形成されたかつら縁部用部材２が、かつらベース３０の一部に取り付けられたところを示す。図１２から、２つの面部１０、１２をずらすことにより、高く持ちあがったループＡ及び低く延びたループＢが形成されているのがわかる。
この実施例により、本発明に係るかつら縁部用部材及びかつらが上記の様々な作用効果を奏することが実証された。
【００５０】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００５１】
２        かつら縁部用部材
４        母材
１０      面部
１０A    端辺
１０Ｂ    他方の端辺
１２      面部
１２A    端辺
１２Ｂ    他方の端辺
２０      紐状部材
２２      紐状部材
２３      紐状部材の交差部
２４      紐状部材の交差部
３０      かつらベース
４０      擬毛
５０      かつら
１０２    かつら縁部用部材
１０２’   かつら縁部用部材
１１０      面部
１１２      面部
１１４      面部
１２０      紐状部材
１２２      紐状部材
１３０      かつらベース
Ａ、Ｂ    ループ
Ｐ１〜ＰN  頂点部分
ｐ１〜ｐｎ  頂点部分
【図１Ａ】
2020084356.tif 000003
【図１Ｂ】
2020084356.tif 000004
【図２】
2020084356.tif 000005
【図３】
2020084356.tif 000006
【図４】
2020084356.tif 000007
【図５】
2020084356.tif 000008
【図６】
2020084356.tif 000009
【図７】
2020084356.tif 000010
【図８】
2020084356.tif 000011
【図９】
2020084356.tif 000012
【図１０】
2020084356.tif 000013
【図１１】
2020084356.tif 000014
【図１２】
2020084356.tif 000015